(57)【特許請求の範囲】
【請求項１】
発呼者端末から着呼者端末への着信呼に対して、前記着呼者端末が応答を保留する応答保留操作を行うと、網が前記着信呼を保留状態とし、前記発呼者端末に対して応答保留サービスを提供する網に接続された携帯電話機における応答保留方法において、
前記応答保留操作が行なわれると、前記着呼者端末は受話パスを閉じたまま、送話パスを開き、予め格納されている応答保留メッセージの送信を前記網に対して準備するとともに、前記網に対して前記応答保留サービスの提供を要求し、
前記網から前記応答保留サービスを拒否する応答保留非活性の付加情報を受信したときのみ、前記応答保留メッセージを前記網を介して前記発呼者端末に送出することを特徴とする携帯電話機における応答保留方法。
【請求項２】
請求項１に記載の応答保留方法において、前記応答保留操作が行われると、前記着呼者端末は応答保留中であることを表示部に表示することを特徴とする携帯電話機における応答保留方法。
【請求項３】
請求項１に記載の応答保留方法において、前記応答保留操作が行われると、前記着呼者端末は応答保留を受け付けたことを示す警告音を出力することを特徴とする携帯電話機における応答保留方法。
【請求項４】
請求項３に記載の応答保留方法において、前記着呼者端末により応答保留を解除する応答保留解除操作が行われると、前記着呼者端末は、前記網に応答保留解除要求を送信するとともに、前記応答保留メッセージの送出および前記警告音の出力を停止し、前記受話パスを開いて通話状態にすることを特徴とする携帯電話機における応答保留方法。
【請求項５】
請求項１に記載の応答保留方法において、前記網から前記応答保留サービスを拒否する旨の付加情報を受信すると、前記着呼者端末は前記応答保留サービスが受け付けられなかったことを示す報知音を出力することを特徴とする携帯電話機における応答保留方法。
【発明の詳細な説明】
【０００１】
【発明の属する技術分野】
本発明は携帯電話機、より具体的には着信呼に対する応答保留機能を備えた携帯電話機に関する。
【０００２】
【従来の技術】
例えば携帯電話機では網側より提供されるサービスとして応答保留サービスがある。この応答保留サービスとは、着信呼に対して着信側の携帯電話機が例えばオンフックキーを押下したことを網側で検出すると、網側が呼を保留状態にして着呼者が現在電話にでることができない旨の応答保留ガイダンスを発呼者端末に送信するサービスである。
【０００３】
具体的には、着信側の携帯電話機が応答保留操作を行ったことを網側が検出すると、網側から応答確認の信号または付加情報の信号が着信側の携帯電話機に送信される。着信側の携帯電話機は、網側より応答確認の信号を受信すると、応答保留中であることを液晶等の表示部に表示するとともに、応答保留中であることを通知する警告音を出力する。
【０００４】
図７は応答保留サービスの処理シーケンスを示したシーケンス図である。なお、図７ではユーザＢから携帯電話機を所有しているユーザＡに対して発呼し、ユーザＡが応答保留操作を行ったときのシーケンスを示している。
図７において、ユーザＢが発呼し、ユーザＡの電話番号をダイヤルすると、ユーザＢの電話機より網に対して呼設定が行われる（２００）。網はユーザＢより呼設定を受信すると、ユーザＡに対して呼設定を行うとともに（２０２）、ユーザＢに対して呼設定受付を行う（２０４）。
【０００５】
ユーザＡの携帯電話機は網より呼設定を受信すると、網に対して呼出しを行うとともにユーザＡに対して着信が有ったことを着信音または振動等により通知する（２０６）。一方、網はこのユーザＡの携帯電話機からの呼出しを受信すると、ユーザＢに対して呼出しを送信する（２０８）。
【０００６】
着信呼に対してユーザＡが直ぐに応答できない場合、ユーザＡが携帯電話機の終了キーまたはこれに該当する他のキーにより応答保留操作を行うと、応答（応答保留）操作が行われたことが網に通知される（２１０）。網は処理２１０の応答通知を受信すると、網は応答保留操作が行われたことを検出しその処理を実行する。
【０００７】
具体的には、ユーザＢにユーザＡの携帯電話機が応答したことを通知するとともに（２１２）、応答確認をユーザＡに送信する（２１６）。また、基地局によっては付加情報をその後送信する（Ｓ２１７）。ユーザＡの携帯電話機はこの応答確認あるいは付加情報の信号を受信すると、この信号に含まれている特定の信号種別データやディスプレイ情報データに従って（図９参照）、現在保留中であることを表示部に表示するとともに警告音を出力する。そして、網はユーザＡがすぐに電話にでることができないことを示す「ただいま電話にでることができません。このままお待ち頂くか、暫くしてからおかけ直し下さい。」等の応答保留ガイダンスをユーザＢに送信する（２１８）。
【０００８】
【発明が解決しようとする課題】
しかしながらこのような従来技術では、網側が障害等により応答保留サービスを行えない場合には、着信側の携帯電話機で応答保留の操作を行っても、通常の着信応答になり通話中になってしまうという問題があった。
【０００９】
図８は着信側携帯電話機で応答保留操作をしたときに網側で障害等が発生したときのシーケンス図であり、同図を用いて応答保留サービスを行えないときの動作を説明する。なお、図８において、図７と同じ処理（処理２００〜２１２）に関しては同一の符号を記し、重複する説明はここでは省略する。
【００１０】
ユーザＡが応答保留操作を行った時に、網側が例えば応答保留ガイダンスを流すためのキャパシティを越えていた場合や、この応答保留サービスを実行する網側の資源が故障した場合には、網は応答保留サービスを実行することができないことを示す応答確認と付加情報（応答保留非活性）とをユーザＡに送信する（２２０、２２２）。そして、網はユーザＡとユーザＢの通話パスを設定し、ユーザＡが応答操作を行ったのと同様に通話状態にする。
【００１１】
しかしながら、ユーザＡは応答保留操作を行っているので応答保留状態になっていると思っているが、発呼者であるユーザＢはユーザＡが応答したものと認識する。したがって、ユーザＡが通話状態にあることを全く認識できなかった場合、ユーザＢはこの状態で待たされることになり、場合によってはユーザＡはユーザＢに聞かれたくない会話を聞かれることにもなるという問題もあった。
【００１２】
また、通話状態になったことをユーザＡが気がついても、本来、ユーザＡは電話にでれる状態で無いため、ユーザＡは慌ててユーザＢに対応しなければならず、ユーザＡおよびユーザＢにとって好ましくない状態になる。
【００１３】
また、上記従来技術では、応答保留サービスが許可されたときには、網からの応答確認あるいは付加情報に含まれる信号で判断するが（図７の処理２１６，２１７）、この応答確認あるいは付加情報（ディスプレイ情報データ）の信号が網側の基地局により異なるため、携帯電話機がこの信号を常に正しく解析することができないという問題もあった。
【００１４】
図９は応答保留サービスが許可されたときに網から送信される応答確認あるいは付加情報のデータフォーマットを示したものである。応答保留操作が行われた携帯電話機は、網から受信した図９に示す特定の信号種別データ３００により応答保留の際の警告音の信号パターンを決定するとともに、ディスプレイ情報データ３０２に示された内容を表示部に表示する。
【００１５】
しかしながら、図９に示したデータフォーマットは網の基地局の製造メーカ等により異なるため、受信した基地局のデータフォーマットを携帯電話機で正確に解析できる保証が無いという問題があった。また、ローミング等によりデータがきても、その内容が地域毎に異なる可能性があり、データに示された内容の表示を携帯電話機が将来にわたって全て対応するのは実質的に困難であるという問題もあった。
【００１６】
いずれにしても従来技術では、応答保留サービスが網に依存しているため、網側に障害があったり、網側の基地局から送信されるデータフォーマットを携帯電話機で解析できなければ、応答保留サービスが機能しなかったり、警告音や表示が正しく行われないという問題があった。
【００１７】
本発明はこのような従来技術の課題を解決し、応答保留サービスの機能を携帯電話機側にも持たせることにより、網側に障害等が発生した場合でも応答保留サービスが実行されるとともに、そのことを警告音や表示によりユーザに常に通知することが可能な携帯電話機における応答保留方法を提供することを目的とする。
【００１８】
【課題を解決するための手段】
本発明は上述の課題を解決するために、発呼者端末から着呼者端末への着信呼に対して、着呼者端末が応答を保留する応答保留操作を行うと、網が着信呼を保留状態とし、発呼者端末に対して応答保留サービスを提供する網に接続された携帯電話機における応答保留方法において、応答保留操作が行なわれると、着呼者端末は受話パスを閉じたまま、送話パスを開き、予め格納されている応答保留メッセージの送信を網に対して準備するとともに、網に対して応答保留サービスの提供を要求し、網から応答保留サービスを拒否する応答保留非活性の付加情報を受信したときのみ、応答保留メッセージを網を介して発呼者端末に送出する。
【００１９】
また、本発明によれば、網側からの着信呼に対して応答を保留する応答保留操作を行った後、前記網側より応答保留非活性の付加情報を受信すると、応答保留サービスが受け付けられなかったことを示す報知音を出力する。
【００２０】
【発明の実施の形態】
次に添付図面を参照して本発明による携帯電話機における応答保留方法の実施の形態を詳細に説明する。
図６を参照すると本発明による携帯電話機における応答保留方法が適用される携帯電話機の機能ブロック図が示されている。
【００２１】
本実施の形態による携帯電話機は、当該電話機の全体を制御するマイクロコンピュータ（ＭＰＵ）５０と、電話番号や各種動作モードの設定等を行うキー操作部６０と、応答保留メッセージ等が格納されるＥ2 ＰＲＯＭ６２と、キー操作部６０から入力された各種情報や電話機の状態を表示するＬＣＤ等からなる表示部６４とを備える。なお、Ｅ2 ＰＲＯＭ６２に格納される応答保留メッセージは予め標準で用意されているものの他にユーザにより登録することも可能である。
【００２２】
当該携帯電話機はまた、着信時にこの電話機を振動させる振動モータ６６と、基地局からの電波を受信したり基地局への電波を送信するアンテナ６８と、アンテナ６８を介して送受信する音声信号やデータ信号に対してＲＦ送信処理またはＲＦ受信処理を行うＲＦ回路７０と、スピーカ７２と、マイク７４とを備える。また、ＲＦ回路７０でＲＦ受信処理された受信信号をＡＦ処理してスピーカ７２から音声出力するとともに、マイク７４から入力した音声信号をＡＦ処理してＲＦ回路７０に出力するＡＦ回路７６を備える。
【００２３】
ＭＰＵ５０は、その内部にＣＰＵ５１、ＲＯＭ５２、ＲＡＭ５３、クロック５４およびＩ／Ｏポート５５とにより構成されている。ＣＰＵ５１は、クロック５４から供給されるクロックに同期して動作し、ＲＯＭ５２に格納されている当該電話機の動作処理手順を規定するプログラムに基づき、指定された処理を演算データおよび外部情報を格納するＲＡＭ５３を用いて実行する。ＣＰＵ５１はまた、Ｉ／Ｏポート５５を介してＭＰＵ５０以外の各構成要素と接続され、信号やデータの授受を行うことにより、所定の処理を実行する。
【００２４】
具体的には、ＣＰＵ５０は、着信中に応答保留を行う終了キーまたは応答保留サービスを行う他のキー操作を検出すると、ＲＯＭ５２に格納されているプログラムに従って、送話パスを開くとともに受話パスを閉じ、Ｅ2 ＰＲＯＭ６２に格納されている応答保留メッセージを送出する。ＣＰＵ５０はまた、応答保留サービスが実行されていることを示す警告音をスピーカ７２より出力するとともに、応答保留中である旨の表示を表示部６４に表示する。
【００２５】
図１〜図４は本実施の形態の動作を示す処理シーケンスである。これら処理シーケンスでは、ユーザＢから図６に示した本実施の形態の携帯電話機を所有しているユーザＡに対して発呼し、ユーザＡが応答保留操作を行ったときのそれぞれのシーケンスを示している。
【００２６】
初めに、図１および図６を用いて応答保留サービスを網から拒否されたときの処理シーケンスを説明する。
図１において、ユーザＢが発呼し、ユーザＡの電話番号をダイヤルすると、ユーザＢの電話機より網に対して呼設定が行われる（１００）。網はユーザＢより呼設定を受信すると、ユーザＡに対して呼設定を行うとともに（１０２）、ユーザＢに対して呼設定受付を行う（１０４）。
【００２７】
ユーザＡの携帯電話機は網より呼設定を受信すると、網に対して呼出しを行うとともにスピーカ７２から着信音を出力するか、または振動モータ６６を駆動して振動により着信をユーザＡに通知する（１０６）。一方、網はこのユーザＡの携帯電話機からの呼出しを受信すると、ユーザＢに対して呼出しを送信する（１０８）。
【００２８】
着信呼に対してユーザＡが直ぐに応答できない場合、ユーザＡが携帯電話機のキー操作部６０の終了キーまたはこれに該当する他のキーにより応答保留操作を行うと、応答（応答保留）操作が行われたことが網に通知される（１１０）。ユーザＡの携帯電話機はまた、ユーザＡによる応答保留操作を検出すると、表示部６４に保留中であることを表示するとともに、スピーカ７２より保留中を示す警告音を出力する。そして、送話パスを開くとともに受話パスを閉じ、Ｅ2 ＰＲＯＭに格納されている応答保留メッセージの送信の準備を行う。
【００２９】
一方、網は処理１１０の応答（応答保留）の通知を受信すると、ユーザＢにユーザＡの携帯電話機が応答したことを通知し（１１２）、応答保留サービスを実行する。しかし、この時、網が何らかの障害により応答保留ガイダンスをユーザＢに送信できない状態のとき、網は応答保留非活性の付加情報と応答確認をユーザＡに送信する（１１４、１１６）。
【００３０】
ユーザＡの携帯電話機では、応答保留操作が行われた時点でＥ2 ＰＲＯＭに格納されている応答保留メッセージの送信の準備を行っているので、網より処理１１４の応答確認あるいは処理１１６の付加情報を受信した時には「ただいま電話にでることができません。このままお待ち頂くか、暫くしてからおかけ直し下さい。」等の応答保留メッセージを網に送信する（１１８）。このとき、ユーザＡの携帯電話機とユーザＢの電話機とは通話状態になっているので、ユーザＡはユーザＡの携帯電話機から送信された応答保留メッセージを聴取することになる。
【００３１】
図２は網により応答保留サービスが行われたときの本実施の形態による処理シーケンス示したものである。なお、図２において、処理１００〜１１２までは前述した図１の説明と重複するので、ここでは図１と異なる処理１２０以下を説明する。ユーザＡの携帯電話機で応答保留操作が行われると（１１０）、網は応答保留を受け付けたことを通知する応答確認あるいは付加情報をユーザＡに送信する（１２０，１２２）。
【００３２】
図１で説明したように、ユーザＡの携帯電話機では、応答保留操作が行われた時点でＥ2 ＰＲＯＭに格納されている応答保留メッセージの送信の準備を行っているので、網より処理１２２の応答確認を受信した時には「ただいま電話にでることができません。このままお待ち頂くか、暫くしてからおかけ直し下さい。」等の応答保留メッセージを網の状態に関係無く送信する（１２４）。一方、網はユーザＡにより応答保留操作が行われたので、処理１２４の応答保留メッセージを廃棄し、応答保留ガイダンスをユーザＢに送信する（１２６）。
【００３３】
図３および図４はそれぞれ、図１および図２における応答保留解除操作を行ったときの処理シーケンスを示したものである。
図３に示すように、網が応答保留サービスを行っていない場合、応答保留解除操作が行われると、ユーザＡの携帯電話機では応答保留メッセージの送信を中止するとともに保留警告音を停止し、網に応答保留解除の付加情報を送信し、送話パスと受話パスをそれぞれ開き通話状態にする（１３０、１３４）。一方、網ではユーザＡの携帯電話機による応答保留解除操作により、網に応答保留解除の付加情報が送信されても、実際には通話状態になっているため、網は何の処理も行わない。
【００３４】
また、図４に示すように網が応答保留サービスを行っている場合、応答保留解除操作が行われると、図３と同様に、ユーザＡの携帯電話機では応答保留メッセージの送信を中止するとともに、送話パスと受話パスとをそれぞれ開き通話状態にする。一方、網ではユーザＡの携帯電話機による応答保留解除操作により、網に応答保留解除の付加情報が送信されると（１３０）、応答保留ガイダンスの送信を中止し、非活性の付加情報をユーザＡに送信する（１３２）。これにより、ユーザＡとユーザＢは通話状態になる（１３４）。
【００３５】
以上、詳細に説明したように本実施の形態によれば、応答保留サービスを従来のように網のみに依存することなく、携帯電話機側でも行えるようにしたため、網側で何らかの障害により応答保留サービスが行えない場合でも、携帯電話機側の機能により応答保留サービスを実行できる。また、応答保留操作が行われると、網側からの付加情報を受信することなく応答保留状態に移行するため、網側からの応答確認の信号が解析できない場合でもユーザに応答保留サービスに移行したことを通知することが可能である。
【００３６】
なお、上記実施の形態では、応答保留操作が行われれば、網側により応答保留サービスが行われる場合とそうでない場合とに関係無く、携帯電話機がその処理を実行するとした。しかしながら本発明は特にこれに限定されるものでは無く、網側により応答保留サービスが行われない場合にのみ携帯電話機で応答保留サービスに伴う処理を実行するようにしてもよい。
【００３７】
また、従来技術では、網側で応答保留サービスが実行できない場合に、応答保留サービスが網で拒否されたことを応答保留操作を行ったユーザに何ら通知されることが無かった。このため、通話状態になっていることがユーザに即座に判らないという問題があった。したがって、例えば図５に示すように、応答保留サービスを網側で実行できないことを示す応答保留非活性の付加情報を携帯電話機が受信した時点で（１２２）、網側が応答保留が許可されなかったことを通知する報知音を出力するか、または音声ガイダンスを送出するようにしてもよい。
【００３８】
さらに、本実施の形態では網側が応答保留サービスに対応している携帯電話機を例に説明したが、本発明では網側が応答保留サービスに対応していない場合でも応答保留を行うことができるので、例えばＰＨＳ端末等にも本発明を適用可能である。
【００３９】
【発明の効果】
このように本発明の携帯電話機における応答保留方法によれば、網の状態に依存されることなくユーザは応答保留サービスを享受することが可能となる。
【図面の簡単な説明】
【図１】本発明による携帯電話機における応答保留方法の実施の形態で、網側により応答保留サービスが実施できないときの処理シーケンス図。
【図２】本発明による携帯電話機における応答保留方法の実施の形態で、網側により応答保留サービスを実施したときの処理シーケンス図。
【図３】図１の応答保留状態の後、応答保留解除処理を行ったときの処理シーケンス図。
【図４】図２の応答保留状態の後、応答保留解除処理を行ったときの処理シーケンス図。
【図５】網側により応答保留サービスを拒否されたときの他の実施の形態を示す処理シーケンス図。
【図６】本発明による携帯電話機における応答保留方法の実施の形態を示す携帯電話機の機能ブロック図。
【図７】従来技術における応答保留サービスが網側で実行されたときの処理シーケンス図。
【図８】従来技術における応答保留サービスが網側で実行されなかったときの処理シーケンス図。
【図９】応答保留サービスが許可されたときに網から送信される応答確認の信号を示すデータフォーマット。
【符号の説明】
５０    ＭＰＵ
５１    ＣＰＵ
５２    ＲＯＭ
５３    ＲＡＭ
５４    クロック
５５    Ｉ／Ｏポート
６０    キー操作部
６２    Ｅ2 ＰＲＯＭ
６４    表示部
６６    振動モータ
６８    アンテナ
７０    ＲＦ回路
７２    スピーカ
７４    マイク
７６    ＡＦ回路
【図１】
0003639438.tif 000002
【図２】
0003639438.tif 000003
【図３】
0003639438.tif 000004
【図４】
0003639438.tif 000005
【図５】
0003639438.tif 000006
【図６】
0003639438.tif 000007
【図７】
0003639438.tif 000008
【図８】
0003639438.tif 000009
【図９】
0003639438.tif 000010